(57)【特許請求の範囲】
【請求項１】
上下カセットハーフと、
アウターリッド、トップリッド及びインナーリッドからなる開閉蓋と、
前記トップリッドの側板内側に突設されたガイドピンを案内すべく前記上カセットハーフの両側板部に設けられたガイド溝とを備えた磁気テープカセットにおいて、
前記ガイド溝は、前記上カセットハーフ端部において開放されており、その開放部分の底面は、前記ガイドピンが略水平方向から前記開放部分に挿入できるように前記磁気テープカセット前方に延出していることを特徴とする磁気テープカセット。
【発明の詳細な説明】
【０００１】
【発明の属する技術の分野】
本発明は、上下カセットハーフと開閉蓋を備えた磁気テープカセットに関する。
【０００２】
【従来の技術】
磁気記録媒体の高密度化等による近年の技術革新に伴い、磁気テープカートリッジ及びビデオテープレコーダー（以下、ＶＴＲという）等がコンパクトになってきている。その結果として、ＶＴＲは風景や人物等の撮影のように屋外で使用される場面が非常に多くなっている。
【０００３】
このため、磁気テープカートリッジは、屋外での使用等を考慮し、耐塵埃対策として磁気テープの全面および裏面をそれぞれ覆う２枚または３枚式の蓋が実用化されている。
【０００４】
図３〜図５は、カセット本体前面の開口部を開閉自在に覆う開閉蓋が３枚のリッドで構成されるＤＶＣ（デジタルビデオカセット）用磁気テープカセットの従来例を示したものである。
この磁気テープカセット１は、前面にＶＴＲ等の装置側のテープ引き出し部材挿入用の開口部２を備えたカセット本体４、カセット本体４の前面に設けられたテープガイドによって開口部２に張架された磁気テープ５と、携帯持等に開口部２に張架されている磁気テープ５が覆われるように前記カセット本体４の前面側に組み付けられた開閉蓋７とを備えた構成をなしている。
【０００５】
カセット本体４は、上カセットハーフ４ａと下カセットハーフ４ｂとで構成されている。また、開閉蓋７は、アウターリッド（前蓋）９、トップリッド（上蓋）１０及びインナーリッド（後蓋）１１の３枚のリッドで構成されている。
【０００６】
アウターリッド９は、開口部２に張架された磁気テープ５の前面側を覆う前蓋板９ａと、前蓋板９ａの両側から張り出した側板部９ｂとを備えている。そして、側板部９ｂの内壁面には支軸ピン９ｃが突設されており、支軸ピン９ｃが上カセットハーフ４ａの前面寄りの両側板部のピン支持孔１２に回動可能に嵌合支持される。したがって、アウターリッド９は、支軸ピン９ｃを中心に回動自在である。
【０００７】
トップリッド１０は、開口部２に張架された磁気テープ５の上方を覆う上蓋板１０ａと、上蓋板１０ａの前縁側の両端を前蓋板９ａの上端縁に回動自在に連結する前蓋連結部１０ｂと、上蓋板１０ａの後端縁から延出した側板部１０ｃの内側に突設されて上カセットハーフ４ａの両側板部に形成されている上蓋ガイド溝１３に摺動自在に係合する上蓋ガイドピン１０ｄとを備えている。
【０００８】
トップリッド１０は、アウターリッド９の開蓋時には、前蓋連結部１０ｂの支軸ピン９ｃ回りの旋回移動に伴って、上蓋ガイドピン１０ｄが上蓋ガイド溝１３に沿って移動し、図５に示すように、カセット本体４の上面と略平行に、カセット本体４の後端側に移動する。
インナーリッド１１は、開口部に張架された磁気テープ５の後面側を覆う内蓋板１１ａと、内蓋板１１ａの上縁を上蓋板１０ａに回動自在に連結する上蓋連結部１１ｂと、内蓋１１ａの下縁側両端部から突出してカセット本体４の内側板部に形成されている内蓋ガイド溝１５に係合する内蓋ガイドピン１１ｃとを備えている。
【０００９】
インナーリッド１１は、アウターリッド９の開蓋時には、トップリッド１０の移動に上蓋連結部１１ｂが追従し、上蓋連結部１１ｂの移動に伴って、内蓋ガイドピン１１ｃが内蓋ガイド溝１５上を移動する。即ち、図５に示す、インナーリッド１１はトップリッド１０の開蓋動作に従動して、開口部２の上方に退避する。
【００１０】
上述の如き磁気テープカセット１は、ＶＴＲ装置に装填されると、装置側に装備された開蓋ピン（図示せず）によってアウターリッド９の側板部９ｂが上方に突き上げられ、その時のアウターリッド９の開蓋動作に連動して、トップリッド１０及びインナーリッド１１が開蓋動作をする。ＶＴＲ装置から磁気テープカセット１を取り出すには、装填時とは逆に、各リッドが閉蓋動作する。
【００１１】
図６に、このような３枚リッド式の開閉蓋７を有した磁気テープカセット１の組み立て方法を示す。
図６に示すように、予めアウターリッド９、トップリッド１０及びインナーリッドを仮組しておく。そして、上カセットハーフ４ａの前面寄りの両側板部のピン支持孔１２にアウターリッド９の支軸ピン９ｃを嵌合させるとともに上カセットハーフ４ａに装備された上蓋ガイド溝１３にトップリッド１０の上蓋ガイドピン１０ｄを挿入し、３枚のリッド９，１０，１１を上カセットハーフ４ａに組み付けた状態にする。次いで上カセットハーフ４ａと下カセットハーフ４ｂとの組み付けをねじで螺着することにより行っている。
【００１２】
【発明が解決しようとする課題】
しかしながら、図６に示すように上カセットハーフ４ａの前面寄りの両側板部のピン支持孔１２にアウターリッド９の支軸ピン９ｃを嵌合させるのは水平方向の運動であり、上カセットハーフ４ａに装備された上蓋ガイド溝１３にトップリッド１０の上蓋ガイドピン１０ｄを挿入するのはガイド溝１３の挿入部１３ａが傾斜しているため傾斜方向の運動である。したがって水平方向と傾斜方向の運動を同時にしなければならないので、ガイドピン１０ｄのガイド溝１３への挿入が円滑に行えず、組立に手間がかかり、生産性の向上が難しいという問題があった。
そこで、本発明の目的は上記課題を解消することにあり、組立が容易で、生産性を向上させることができる磁気テープカセットを提供することである。
【００１３】
【課題を解決するための手段】
本発明の上記課題は、
上下カセットハーフと、
アウターリッド、トップリッド及びインナーリッドからなる開閉蓋と、
前記トップリッドの側板内側に突設されたガイドピンを案内すべく前記上カセットハーフの両側板部に設けられたガイド溝とを備えた磁気テープカセットにおいて、
前記ガイド溝は、前記上カセットハーフ端部において開放されており、その開放部分の底面は、前記ガイドピンが略水平方向から前記開放部分に挿入できるように前記磁気テープカセット前方に延出していることを特徴とする磁気テープカセットよって解決される。
【００１４】
本発明によれば、上カセットハーフのガイド溝は、前記上カセットハーフ端部において開放されており、その開放部分の底面は、ガイドピンが略水平方向から前記開放部分に挿入できるように磁気テープカセット前方に延出していることにより、水平移動させる動作で前記ガイドピンを前記ガイド溝へ挿入できるから、前記ガイドピンのガイド溝への挿入が円滑に行える。
したがって、磁気テープカセットの組立が容易になるとともに生産性を向上させることができる。
【００１５】
【発明の実施の形態】
以下、添付図面に基づいて本発明の一実施形態を説明する。  図１は、本発明の第一実施形態に係る磁気テープカセット３０の上カセットハーフ３５を示す側面図である。
本実施形態の磁気テープカセット３０は、従来の磁気テープカセットと略同様に構成されているので、本発明の要旨以外の部分の説明は省略し、同様な構成については同一符号を付して説明する。
【００１６】
図１に示すように、磁気テープカセット３０には、上カセットハーフ３５の両側板部に上蓋ガイド溝３６が形成されている。上蓋ガイド溝３６には，上カセットハーフ３５の端部において開放された傾斜部３６ａが設けられており、その傾斜部３６ａの底面は、上蓋ガイドピン１０ｄが略水平方向から傾斜部３６ａに挿入できるように磁気テープカセット３０の前方に延出しており、その先端部には誘い込み部３６ｂが設けられている。誘い込み部３６ｂは、傾斜部３６ａの開口側の上端面の略下方に設けられている。
なお、誘い込み部３６ｂは、テーパ面であることが好ましい。
【００１７】
図２に、本実施形態の３枚リッド式の開閉蓋７を有した磁気テープカセット３０の組み立て方法を示す。
図２に示すように、従来と同様アウターリッド９、トップリッド１０及びインナーリッドを予め仮組しておく。そして、上カセットハーフ３５の前面寄りの両側板部のピン支持孔３７にアウターリッド９の支軸ピン９ｃを嵌合させるとともに上カセットハーフ３５の両側板に形成された上蓋ガイド溝３６にトップリッド１０の上蓋ガイドピン１０ｄを挿入し、３枚のリッド９，１０，１１を上カセットハーフ３５に組み付けた状態にする。
この際、上蓋ガイド溝３６には、上カセットハーフ３５の端部において開放された傾斜部３６ａが設けられており、その傾斜部３６ａの底面は、上蓋ガイドピン１０ｄが略水平方向から傾斜部３６ａに挿入できるように磁気テープカセット３０の前方に延出しているので、上カセットハーフ３５のピン支持孔３７にアウターリッド９の支軸ピン９ｃを嵌合させる運動と、上カセットハーフ３５の上蓋ガイド溝３６にトップリッド１０の上蓋ガイドピン１０ｄを挿入させる運動は共に水平方向の運動となり、上蓋ガイドピン１０ｄの上蓋ガイド溝１３への挿入が円滑に行える。また、誘い込み部３６ｂは、上蓋ガイド溝３６にトップリッド１０の上蓋ガイドピン１０ｄを挿入しやすくなるように案内する。
すなわち、従来行っていた上蓋ガイドピン１０ｄを上蓋ガイド溝へ挿入するための傾斜方向の運動と、上カセットハーフ３５のピン支持孔３７にアウターリッド９の支軸ピン９ｃを嵌合させる水平方向の運動を同時に行う必要がない。
したがって、磁気テープカセットの組立が容易になるとともに生産性を向上させることができる。
【００１８】
【発明の効果】
以上のように本発明は、上カセットハーフのガイド溝は、前記上カセットハーフ端部において開放されており、その開放部分の底面は、ガイドピンが略水平方向から前記開放部分に挿入できるように磁気テープカセット前方に延出しているので、水平移動させる動作で前記ガイドピンを前記ガイド溝へ挿入でき、前記ガイドピンのガイド溝への挿入が円滑に行える。
したがって、磁気テープカセットの組立が容易になるとともに生産性を向上させることができる。
【図面の簡単な説明】
【図１】本発明の一実施形態におけるにおける磁気テープカセットの上カセットハーフの側面図である。
【図２】本発明の一実施形態における磁気テープカセットの組立方法を示す。
【図３】従来の３枚リッド式の磁気テープカセットの組立状態の斜視図である。
【図４】図３に示した磁気テープカセットの蓋が閉じている状態を示す要部断面図である。
【図５】図３に示した磁気テープカセットの蓋が開いた状態を示す要部断面図である。
【図６】従来の磁気テープカセットの組立方法を示す
【符号の説明】
１  磁気テープカセット
２  開口部
４  カセット本体
４ａ  上カセットハーフ
４ｂ  下カセットハーフ
５  磁気テープ
７  開閉蓋
９  アウターリッド
９ａ  前蓋板
９ｂ  側板部
９ｃ  支軸ピン
１０  トップリッド
１０ａ  上蓋板
１０ｂ  前蓋連結部
１０ｃ  アーム部
１０ｄ  上蓋ガイドピン
１１  インナーリッド
１１ａ  内蓋板
１１ｂ  連結部
１１ｃ  内蓋ガイドピン
１２  ピン支持孔
１３  上蓋ガイド溝
１３ａ  挿入部
１５  内蓋ガイド溝
３０  磁気テープカセット
３５  上カセットハーフ
３６  上蓋ガイド溝
３６ａ  傾斜部
３６ｂ  誘い込み部
３７  ピン支持孔
【図１】
0003640283.tif 000002
【図２】
0003640283.tif 000003
【図３】
0003640283.tif 000004
【図４】
0003640283.tif 000005
【図５】
0003640283.tif 000006
【図６】
0003640283.tif 000007